(57)【要約】  呼制御手段と、オーディオ処理手段と、ビデオ処理手段と、通信処理手段とを含む、ストリーミングメディアサービスを実現する通信端末を開示し、当該通信端末は、呼制御手段と、オーディオ処理手段と、ビデオ処理手段と、通信処理手段とそれぞれ通信シグナリングをやり取りするストリーミングメディア制御手段を更に含み、当該ストリーミングメディア制御手段は、ストリーミングメディアの再生や制御に関連するプロトコルを処理し、ストリーミングメディアサービスに関連するプロセスを制御する。また、ストリーミングメディアサービスを実現するシステム及び方法を開示している。本発明の通信端末はＩＰデジタルセットトップボックスの機能も有するので、ビデオ・オーディオ通信を実現できるだけでなく、ストリーミングメディアサービスも実現できる。本発明のシステム及び方法によれば、通信端末に基づくストリーミングメディアサービスを実現できる。
2008526145.tif 000002
【特許請求の範囲】
【請求項１】
呼制御手段と、オーディオ処理手段と、ビデオ処理手段と、通信処理手段とを含む、ストリーミングメディアサービスを実現する通信端末であって、
当該通信端末は、ストリーミングメディアの再生や制御に関連するプロトコルを処理し、ストリーミングメディアサービスに関連するプロセスを制御するストリーミングメディア制御手段を更に含み、
前記呼制御手段は、前記通信処理手段を介してネットワーク側に要求を開始し、ネットワーク側から前記通信処理手段を介して返されたストリーミングメディアサービスの関連情報を前記ストリーミングメディア制御手段に転送し、又は、前記ストリーミングメディア制御手段は、前記通信処理手段を介してネットワーク側に要求を開始し、ネットワーク側から前記通信処理手段を介して返されたストリーミングメディアサービスの関連情報を受信し、
前記ストリーミングメディア制御手段は、ストリーミングメディアサービスの関連情報に基づいて、ネットワーク側にストリーミングメディアデータの再生を要求し、要求に成功した後、前記オーディオ処理手段と前記ビデオ処理手段に、ネットワーク側からのストリーミングメディアデータを再生するよう指示する、
ことを特徴とする通信端末。
【請求項２】
前記呼制御手段と、前記オーディオ処理手段と、前記ビデオ処理手段と、前記通信処理手段とが、互いに接続されて、ビデオ・オーディオ通信を実現する、
ことを特徴とする請求項１に記載の通信端末。
【請求項３】
前記ストリーミングメディア制御手段が前記呼制御手段と、前記オーディオ処理手段と、前記ビデオ処理手段と、前記通信処理手段とやり取りする通信シグナリングは、拡張された、ストリーミングメディアサービスの関連情報の伝達をサポートする通信シグナリングである、
ことを特徴とする請求項１に記載の通信端末。
【請求項４】
ストリーミングメディアサービスを実現するシステムであって、
ストリーミングメディアサービスを実現可能な通信端末と、登録サーバと、ストリーミングメディアサーバとを含み、
前記通信端末は、前記登録サーバに要求を開始し、前記登録サーバから返信されたストリーミングメディアサービスの関連情報を受信し、その後、ストリーミングメディアデータの再生を前記ストリーミングメディアサーバに要求し、
前記登録サーバは、前記通信端末に対する登録と、認証と、被呼番号の解析機能を実現し、前記通信端末が要求するとき、当該通信端末にストリーミングメディアサービスの関連情報を提供し、
前記ストリーミングメディアサーバは、前記通信端末が要求するとき、当該通信端末にストリーミングメディアデータを提供する、
ことを特徴とするシステム。
【請求項５】
前記通信端末が登録サーバに開始した要求は、登録要求、呼要求又はストリーミングメディアサービスの検索要求である、
ことを特徴とする請求項４に記載のシステム。
【請求項６】
ストリーミングメディアサービスを実現するシステムであって、
ストリーミングメディアサービスを実現可能な通信端末と、ストリーミングメディアサービスサーバと、ストリーミングメディアサーバとを含み、
前記通信端末は、前記ストリーミングメディアサービスサーバに要求を開始し、前記ストリーミングメディアサービスサーバから返信されたストリーミングメディアサービスの関連情報を受信し、その後、前記ストリーミングメディアデータの再生を前記ストリーミングメディアサーバに要求し、
前記ストリーミングメディアサービスサーバは、前記通信端末が要求するとき、当該通信端末にストリーミングメディアサービスの関連情報を提供し、
前記ストリーミングメディアサーバは、前記通信端末が要求するとき、当該通信端末にストリーミングメディアデータを提供する、
ことを特徴とするシステム。
【請求項７】
通信端末に対する登録、認証、被呼番号の解析機能を実現する登録サーバを更に含む、
ことを特徴とする請求項６に記載のシステム。
【請求項８】
前記通信端末が登録サーバに開始した要求は、ストリーミングメディアサービスの検索要求である、
ことを特徴とする請求項６に記載のシステム。
【請求項９】
請求項１に記載の通信端末を用いてストリーミングメディアサービスを実現する方法であって、
通信端末がネットワーク側に要求を開始するステップａと、
ネットワーク側が前記要求に対して認証を行い、認証にパスした後、前記通信端末に、ストリーミングメディアサービスの関連情報が含まれている確認メッセージを返すステップｂと、
前記通信端末が、ストリーミングメディアサービスの関連情報に基づいて、ストリーミングメディアデータの再生をネットワーク側に要求するステップｃとを含む、
ことを特徴とするストリーミングメディアサービスを実現する方法。
【請求項１０】
前記通信端末がネットワーク側に開始した要求は、登録要求であり、
ステップｂにおいて、ネットワーク側は、前記通信端末からの登録要求に対して認証を行い、認証にパスした後、ストリーミングメディアサービスの関連情報が含まれている登録確認メッセージを、前記通信端末に返す、
ことを特徴とする請求項９に記載の方法。
【請求項１１】
前記通信端末がネットワーク側に開始した要求は、被呼番号が予め設定されたストリーミングメディアサービスの番号である呼要求であり、
ステップｂにおいて、ネットワーク側は、前記通信端末からの呼要求に対して認証を行い、認証にパスした後、ストリーミングメディアサービスの番号を解析し、予め設定されたストリーミングメディアサービスの番号とストリーミングメディアサービスの関連情報との対応関係に基づいて、当該ストリーミングメディアサービスの番号に対応するストリーミングメディアサービスの関連情報を取得し、前記通信端末に、ストリーミングメディアサービスの関連情報が含まれている呼確認メッセージを返す、
ことを特徴とする請求項９に記載の方法。
【請求項１２】
前記ストリーミングメディアサービスの関連情報には、ストリーミングメディア番組リスト情報及び/又はストリーミングメディア広告情報が含まれている、
ことを特徴とする請求項１０又は１１に記載の方法。
【請求項１３】
前記ストリーミングメディア番組リスト情報には、少なくとも１つのストリーミングメディア番組の名称及びその統一資源位置指定子ＵＲＬリンクが含まれており、
前記ストリーミングメディア広告情報には、ストリーミングメディア広告のＵＲＬリンクが含まれている、
ことを特徴とする請求項１２に記載の方法。
【請求項１４】
前記ストリーミングメディアサービスの関連情報がストリーミングメディア番組リスト情報であれば、ステップcにおいて、前記通信端末は、ストリーミングメディア番組リストを表示し、ネットワーク側に、ユーザにより選択されたストリーミングメディア番組に対応するストリーミングメディアデータを要求し、ネットワーク側から返されたストリーミングメディアデータを受信した後、当該ストリーミングメディアデータを再生する、
ことを特徴とする請求項１２に記載の方法。
【請求項１５】
前記ストリーミングメディアサービスの関連情報がストリーミングメディア広告情報であれば、ステップcにおいて、前記通信端末は、アイドルであるとき、ネットワーク側にストリーミングメディア広告情報に対応するストリーミングメディアデータを要求し、ネットワーク側から返されたストリーミングメディアデータを受信した後、当該ストリーミングメディアデータを再生する、
ことを特徴とする請求項１２に記載の方法。
【請求項１６】
前記ネットワーク側が通信端末により開始された要求に対して、認証して確認を返す動作は、ネットワーク側の登録サーバによって実行され、
前記通信端末は、ストリーミングメディアデータの再生を、ネットワーク側のストリーミングメディアサーバに要求する、
ことを特徴とする請求項９に記載の方法。
【請求項１７】
請求項１に記載の通信端末を用いてストリーミングメディアサービスを実現する方法であって、
通信端末は、登録した後、ネットワーク側にストリーミングメディアサービスの検索要求を開始するステップＡと、
ネットワーク側が前記通信端末にストリーミングメディアサービスの関連情報が含まれているストリーミングメディアサービスの検索応答を返すステップＢと、
前記通信端末が、ストリーミングメディアサービスの関連情報に基づいて、ストリーミングメディアデータの再生をネットワーク側に要求するステップＣとを含む、
ことを特徴とするストリーミングメディアサービスを実現する方法。
【請求項１８】
前記ストリーミングメディアサービスの関連情報には、ストリーミングメディア番組リスト情報及び/又はストリーミングメディア広告情報が含まれている、
ことを特徴とする請求項１７に記載の方法。
【請求項１９】
ストリーミングメディア番組リスト情報には、少なくとも１つのストリーミングメディア番組の名称及びそのＵＲＬリンクが含まれており、
前記ストリーミングメディア広告情報には、ストリーミングメディア広告のＵＲＬリンクが含まれている、
ことを特徴とする請求項１８に記載の方法。
【請求項２０】
前記ストリーミングメディアサービスの関連情報がストリーミングメディア番組リスト情報であれば、ステップＣにおいて、前記通信端末は、ストリーミングメディア番組リストを表示し、ネットワーク側に、ユーザにより選択されたストリーミングメディア番組に対応するストリーミングメディアデータを要求し、ネットワーク側から返されたストリーミングメディアデータを受信した後、当該ストリーミングメディアデータを再生する、
ことを特徴とする請求項１８に記載の方法。
【請求項２１】
前記ストリーミングメディアサービスの関連情報がストリーミングメディア広告情報であれば、ステップＣにおいて、前記通信端末は、アイドルであるとき、ネットワーク側にストリーミングメディア広告情報に対応するストリーミングメディアデータを要求し、ネットワーク側から返されたストリーミングメディアデータを受信した後、当該ストリーミングメディアデータを再生する、
ことを特徴とする請求項１８に記載の方法。
【請求項２２】
前記通信端末は、ネットワーク側のストリーミングメディアサービスサーバに、ストリーミングメディアサービスの検索要求を開始し、ストリーミングメディアサービスサーバから返されたストリーミングメディアサービスの検索応答を受信し、
前記通信端末は、ストリーミングメディアデータの再生を、ネットワーク側のストリーミングメディアサーバに要求する、
ことを特徴とする請求項１７に記載の方法。
【発明の詳細な説明】
【技術分野】
【０００１】
本発明は、ブロードバンドビデオ技術分野に関し、特に、ブロードバンドビデオシステムにおいてストリーミングメディアサービスを実現する通信端末、そのシステム及びその方法に関する。
【背景技術】
【０００２】
ブロードバンド技術の迅速な発展に伴って、ブロードバンドに基づく応用も次々と現れ、ブロードバンドに基づくビデオ・オーディオ応用は、より迅速な発展と幅広い応用を取得されている。ブロードバンドネットワークにおいて、それぞれＨ．３２３プロトコル（ＩＴＵ−Ｔ  Ｈ３２３系プロトコル）とセッション開始プロトコル（ＳＩＰ）に基づく２つの標準ビデオ通信システムが次第に発展され、また自己定義のプライベートプロトコルを採用するビデオ通信システムもいくつかある。ビデオ通信システムにおいて、ユーザは、ビデオ機能を有する端末設備を用いて、両者又は多者との間で音声及びビデオデータのやり取りを実現することができる。一方、ブロードバンドネットワークに基づいて、ストリーミングメディア技術をもとにするインターネットプロトコル（ＩＰ）デジタルセットトップボックス設備が出現して次第に発展された。このデジタルセットトップボックス設備は、インターネットへのアクセス、映画又はテレビ番組のオンデマンドや生放送などの機能を実現することができる。
【０００３】
図１は、従来のビデオ機能を有する通信端末の構成を示す図である。図１に示すように、ビデオ機能を有する通信端末は、主に、呼制御ユニットと、ビデオ処理ユニットと、オーディオ処理ユニットと、通信処理ユニットとを含む。通信処理ユニットは、主に通信ネットワークに接続され、通信ネットワークからリモートデータを受信し、通信ネットワークを介してローカルデータを外部に送信する。ビデオ処理ユニットは、主にビデオ画像の収集、符号化・復号化処理及び表示を完成する。オーディオ処理ユニットは、主に音声データの収集、符号化・復号化処理及び再生を完成する。呼制御ユニットは、呼に関連するプロトコルを処理し、呼に関連するプロセスを制御し、他の通信端末とビデオ・オーディオ通話を確立する。
【発明の開示】
【発明が解決しようとする課題】
【０００４】
上記からわかるように、現在、ユーザ側の通信端末とＩＰデジタルセットトップボックスは、２つの独立な設備である。ＩＰデジタルセットトップボックスは、主にネットワークにアクセスしたり、映画やテレビの番組を見たりすることに用いられ、ビデオ・オーディオ通信機能を有していない。通信端末は、ビデオ・オーディオ通信を実現できるが、ネットワークにアクセスしたり、映画やテレビの番組を見たりするなどのストリーミングメディアサービスを実現する機能を有していない。
【０００５】
本発明は、上記課題に鑑みてなされたものであって、ストリーミングメディア機能を有する、ストリーミングメディアサービスを実現する通信端末を提供することを主な目的とする。
【０００６】
本発明は、ストリーミングメディア機能を有する通信端末を採用してストリーミングメディアサービスを実現する、ストリーミングメディアサービスを実現するシステムと方法を提供することを他の目的とする。
【課題を解決するための手段】
【０００７】
本発明の目的は下記の解決手段によって実現されたものである。
ストリーミングメディアサービスを実現する通信端末であって、
呼制御手段と、オーディオ処理手段と、ビデオ処理手段と、通信処理手段とを含み、
キーポイントは、当該通信端末は、ストリーミングメディアの再生や制御に関連するプロトコルを処理し、ストリーミングメディアサービスに関連するプロセスを制御するストリーミングメディア制御手段を更に含み、
前記呼制御手段は、前記通信処理手段を介してネットワーク側に要求を開始し、ネットワーク側から前記通信処理手段を介して返されたストリーミングメディアサービスの関連情報を前記ストリーミングメディア制御手段に転送し、又は、前記ストリーミングメディア制御手段は、前記通信処理手段を介してネットワーク側に要求を開始し、ネットワーク側から前記通信処理手段を介して返されたストリーミングメディアサービスの関連情報を受信し、
前記ストリーミングメディア制御手段は、ストリーミングメディアサービスの関連情報に基づいて、ネットワーク側にストリーミングメディアデータの再生を要求し、要求に成功した後、前記オーディオ処理手段と前記ビデオ処理手段に、ネットワーク側からのストリーミングメディアデータを再生するよう指示する。
ここで、前記呼制御手段と、前記オーディオ処理手段と、前記ビデオ処理手段と、前記通信処理手段とが、互いに接続されて、ビデオ・オーディオ通信を実現する。
ここで、前記ストリーミングメディア制御手段が前記呼制御手段と、前記オーディオ処理手段と、前記ビデオ処理手段と、前記通信処理手段とやり取りする通信シグナリングは、拡張された、ストリーミングメディアサービスの関連情報の伝達をサポートする通信シグナリングである。
【０００８】
ストリーミングメディアサービスを実現するシステムであって、
ストリーミングメディアサービスを実現可能な通信端末と、登録サーバと、ストリーミングメディアサーバとを含み、
前記通信端末は、前記登録サーバに要求を開始し、前記登録サーバから返されたストリーミングメディアサービスの関連情報を受信し、その後、ストリーミングメディアデータの再生を前記ストリーミングメディアサーバに要求し、
前記登録サーバは、前記通信端末に対する登録と、認証と、被呼番号の解析機能を実現し、前記通信端末が要求するとき、当該通信端末にストリーミングメディアサービスの関連情報を提供し、
前記ストリーミングメディアサーバは、前記通信端末が要求するとき、当該通信端末にストリーミングメディアデータを提供する。
ここで、前記通信端末が登録サーバに開始した要求は、登録要求、呼要求又はストリーミングメディアサービスの検索要求である。
【０００９】
ストリーミングメディアサービスを実現するシステムであって、
ストリーミングメディアサービスを実現可能な通信端末と、ストリーミングメディアサービスサーバと、ストリーミングメディアサーバとを含み、
前記通信端末は、前記ストリーミングメディアサービスサーバに要求を開始し、前記ストリーミングメディアサービスサーバから返されたストリーミングメディアサービスの関連情報を受信し、その後、前記ストリーミングメディアデータの再生を前記ストリーミングメディアサーバに要求し、
前記ストリーミングメディアサービスサーバは、前記通信端末が要求するとき、当該通信端末にストリーミングメディアサービスの関連情報を提供し、
前記ストリーミングメディアサーバは、前記通信端末が要求するとき、当該通信端末にストリーミングメディアデータを提供する。
当該システムは、通信端末に対する登録、認証、被呼番号の解析機能を実現する登録サーバを更に含む。
ここで、前記通信端末が登録サーバに開始した要求は、ストリーミングメディアサービスの検索要求である。
【００１０】
ストリーミングメディアサービスを実現する方法であって、
通信端末がネットワーク側に要求を開始するステップａと、
ネットワーク側が前記要求に対して認証を行い、認証にパスした後、前記通信端末に、ストリーミングメディアサービスの関連情報が含まれている確認メッセージを返すステップｂと、
前記通信端末が、ストリーミングメディアサービスの関連情報に基づいて、ストリーミングメディアデータの再生をネットワーク側に要求するステップｃとを含む。
ここで、前記通信端末がネットワーク側に開始した要求は、登録要求であり、
ステップｂにおいて、ネットワーク側は、前記通信端末からの登録要求に対して認証を行い、認証にパスした後、ストリーミングメディアサービスの関連情報が含まれている登録確認メッセージを、前記通信端末に返す。
ここで、前記通信端末がネットワーク側に開始した要求は、被呼番号が予め設定されたストリーミングメディアサービスの番号である呼要求であり、
ステップｂにおいて、ネットワーク側は、前記通信端末からの呼要求に対して認証を行い、認証にパスした後、ストリーミングメディアサービスの番号を解析し、予め設定されたストリーミングメディアサービスの番号とストリーミングメディアサービスの関連情報との対応関係に基づいて、当該ストリーミングメディアサービスの番号に対応するストリーミングメディアサービスの関連情報を取得し、前記通信端末に、ストリーミングメディアサービスの関連情報が含まれている呼確認メッセージを返す。
ここで、前記ストリーミングメディアサービスの関連情報には、ストリーミングメディア番組リスト情報及び/又はストリーミングメディア広告情報が含まれている。
ここで、前記ストリーミングメディア番組リスト情報には、少なくとも１つのストリーミングメディア番組の名称及びその統一資源位置指定子ＵＲＬリンクが含まれており、前記ストリーミングメディア広告情報には、ストリーミングメディア広告のＵＲＬリンクが含まれている。
ここで、前記ストリーミングメディアサービスの関連情報がストリーミングメディア番組リスト情報であれば、ステップcにおいて、前記通信端末は、ストリーミングメディア番組リストを表示し、ネットワーク側に、ユーザにより選択されたストリーミングメディア番組に対応するストリーミングメディアデータを要求し、ネットワーク側から返されたストリーミングメディアデータを受信した後、当該ストリーミングメディアデータを再生する。
ここで、前記ストリーミングメディアサービスの関連情報がストリーミングメディア広告情報であれば、ステップcにおいて、前記通信端末は、アイドルであるとき、ネットワーク側にストリーミングメディア広告情報に対応するストリーミングメディアデータを要求し、ネットワーク側から返されたストリーミングメディアデータを受信した後、当該ストリーミングメディアデータを再生する。
前記ネットワーク側が通信端末により開始された要求に対して、認証して確認を返す動作は、ネットワーク側の登録サーバによって実行され、
前記通信端末は、ストリーミングメディアデータの再生を、ネットワーク側のストリーミングメディアサーバに要求する。
【００１１】
ストリーミングメディアサービスを実現する方法であって、
通信端末は、登録した後、ネットワーク側にストリーミングメディアサービスの検索要求を開始するステップＡと、
ネットワーク側が前記通信端末にストリーミングメディアサービスの関連情報が含まれているストリーミングメディアサービスの検索応答を返すステップＢと、
前記通信端末が、ストリーミングメディアサービスの関連情報に基づいて、ストリーミングメディアデータの再生をネットワーク側に要求するステップＣとを含む。
ここで、前記ストリーミングメディアサービスの関連情報には、ストリーミングメディア番組リスト情報及び/又はストリーミングメディア広告情報が含まれている。
ここで、ストリーミングメディア番組リスト情報には、少なくとも１つのストリーミングメディア番組の名称及びそのＵＲＬリンクが含まれており、前記ストリーミングメディア広告情報には、ストリーミングメディア広告のＵＲＬリンクが含まれている。
ここで、前記ストリーミングメディアサービスの関連情報がストリーミングメディア番組リスト情報であれば、ステップＣにおいて、前記通信端末は、ストリーミングメディア番組リストを表示し、ネットワーク側に、ユーザにより選択されたストリーミングメディア番組に対応するストリーミングメディアデータを要求し、ネットワーク側から返されたストリーミングメディアデータを受信した後、当該ストリーミングメディアデータを再生する。
ここで、前記ストリーミングメディアサービスの関連情報がストリーミングメディア広告情報であれば、ステップＣにおいて、前記通信端末は、アイドルであるとき、ネットワーク側にストリーミングメディア広告情報に対応するストリーミングメディアデータを要求し、ネットワーク側から返されたストリーミングメディアデータを受信した後、当該ストリーミングメディアデータを再生する。
ここで、前記通信端末は、ネットワーク側のストリーミングメディアサービスサーバに、ストリーミングメディアサービスの検索要求を開始し、ストリーミングメディアサービスサーバから返されたストリーミングメディアサービスの検索応答を受信し、
前記通信端末は、ストリーミングメディアデータの再生を、ネットワーク側のストリーミングメディアサーバに要求する。
【発明の効果】
【００１２】
以上の解決手段からわかるように、本発明によって開示されている通信端末は、従来技術の通信端末に備えられている呼制御手段と、オーディオ処理手段と、ビデオ処理手段と、通信処理手段とのほかに、キーポイントは、呼制御手段と、オーディオ処理手段と、ビデオ処理手段と、通信処理手段とそれぞれ通信シグナリングをやり取りするストリーミングメディア制御手段を含み、このストリーミングメディア制御手段が、ストリーミングメディアの再生や制御に関連するプロトコルに対して処理を行い、ストリーミングメディアサービスに関連するプロセスを制御する。そのため、本発明の通信端末によれば、ビデオ・オーディオ通信機能を実現できる以外に、重要なことは、またＩＰデジタルセットトップボックスの機能も兼有して、ストリーミングメディアサービスを実現することができる。
【００１３】
本発明に開示されているストリーミングメディアサービスを実現するシステム及び方法によれば、通信端末に基づくストリーミングメディアサービスを実現でき、通信端末の登録プロセス又は呼プロセスを用いて、ストリーミングメディアサービスの関連情報を取得し、又は、独立なストリーミングメディアサービスの検索要求プロセスによって、ストリーミングメディアサービスの関連情報を取得し、そして、ストリーミングメディアサービスの関連情報に基づいて、ストリーミングメディアデータを要求して再生することによって、ストリーミングメディアサービスを実現する。
【発明を実施するための最良の形態】
【００１４】
本発明の目的、解決手段とメリットを更に明確するため、以下図面と具体的な実施形態を参照して本発明について更に詳述する。
【００１５】
本発明の核心的発明構想は、通信端末に、ストリーミングメディアの再生や制御に関連するプロトコルを処理するストリーミングメディア制御ユニットを追加し、且つ通信端末に使用される通信シグナリングを拡張して、ストリーミングメディアサービスを支持するようにすることによって、通信端末でストリーミングメディアサービスを実現する。
【００１６】
本発明によれば、ユーザの使用の習慣を変化しないうえに、ユーザのために便利的な通信端末に基づくストリーミングメディアサービスを提供して、ＩＰセットトップボックスの機能が通信端末において実現されるようにし、これによって、ＩＰデジタルセットトップボックスと通信端末の両方の機能が統一され、多大なコストを増加することなく、ユーザに、便利且つ柔軟にストリーミングメディア機能を有する通信端末を使用できるようにする。
【００１７】
図２は、本発明に係るストリーミングメディア機能を有する通信端末の構成を示す図である。図２に示すように、本発明の通信端末は、主に、ストリーミングメディア制御ユニットと、呼制御ユニットと、ビデオ処理ユニットと、オーディオ処理ユニットと、通信処理ユニットとを含む。
【００１８】
ここで、呼制御ユニット、オーディオ処理ユニット、ビデオ処理ユニット、通信処理ユニットは、それぞれ、従来技術の通信端末における対応のユニットが有する基本機能を有する。これらのユニットが協同して動作することにより、従来技術の通信端末が有するビデオ・オーディオ機能を実現することができる。
【００１９】
ここで、ストリーミングメディア制御ユニットは、ストリーミングメディアの再生や制御に関連するプロトコルを処理し、ストリーミングメディアサービスに関連するプロセスを制御し、呼制御ユニットと、オーディオ処理ユニットと、ビデオ処理ユニットと、通信処理ユニットとにそれぞれ接続され、互いに協同して動作することにより、従来技術の通信端末が有していないストリーミングメディア機能を実現する。
【００２０】
本発明の通信端末は、ビデオ・オーディオ通信を実現するプロセスにおいて、まずネットワーク側の登録サーバとやり取りして、通信端末の登録プロセスを完成し、他の通信端末を呼出す場合も、ネットワーク側の登録サーバとのやり取りによって、呼認証とアドレス解析などの機能を完成してから、他の通信端末との接続及び呼を確立する。
【００２１】
本発明の通信端末は、ストリーミングメディアサービスを実現する場合、通信端末とネットワーク側の登録サーバとの間でやり取りする通信シグナリングを拡張して、拡張した後の通信シグナリングが、ストリーミングメディアの関連情報の伝達をサポートするようにすることによって、通信端末がストリーミングメディアサービスをサポートすることを実現し、又は、ストリーミングメディアサービス専用の新しい通信シグナリングを追加することによって、通信端末がストリーミングメディアサービスをサポートすることを実現してもよい。
【００２２】
以上からわかるように、従来技術の通信端末に比べて、本発明の通信端末は、ストリーミングメディア制御ユニットが追加され、且つ元の通信シグナリングを拡張し又はストリーミングメディアサービスに関連する新しい通信シグナリングを追加するため、ビデオ・オーディオ通信を実現するとともに、ストリーミングメディアサービスを実現する。
【００２３】
以下、ストリーミングメディアサービスを実現する四つの具体的な実施形態と結合して、本発明のストリーミングメディアサービスを実現する通信端末、そのシステム及びその方法について詳しく説明する。
【００２４】
（実施形態１）
本実施形態において、通信端末は、登録プロセスでストリーミングメディアサービスの関連情報を取得する。このようにして、当該番組リストによって、通信端末ユーザのためにストリーミングメディアのオンデマンド又は生放送などのサービスを提供し、又は通信端末がアイドルであるとき、通信端末ユーザにストリーミングメディア広告を自動的に再生する。
【００２５】
図３aは、本発明に係る実施形態１のストリーミングメディアサービスの実現を示す図である。図３aに示すように、実施形態１において、ストリーミングメディアサービスを実現するシステムは、ストリーミングメディア機能を有する通信端末と、ネットワーク側の登録サーバと、ネットワーク側のストリーミングメディアサーバとを含む。
【００２６】
ネットワーク側の登録サーバは、主に、通信端末の登録、認証、被呼番号の解析などの機能を完成する。また、登録サーバには、例えばストリーミングメディア番組リスト情報やストリーミングメディア広告情報などのストリーミングメディアサービスの関連情報が配置されている。ストリーミングメディア番組リスト情報には、複数のストリーミングメディア番組の名称及びその統一資源位置指定子（ＵＲＬ：  Ｕｎｉｆｏｒｍ  Ｒｅｓｏｕｒｃｅ  Ｌｏｃａｔｏｒ）リンクが含まれており、ストリーミングメディア広告情報には、ストリーミングメディア広告の名称及びそのＵＲＬリンクが含まれている。ストリーミングメディア番組リスト情報には、単一なストリーミングメディア番組の情報、即ち、単一なストリーミングメディア番組のＵＲＬリンクのみが含まれる可能性もある。
【００２７】
ネットワーク側のストリーミングメディアサーバには、ストリーミングメディア番組やストリーミングメディア広告などのストリーミングメディアデータが保持されており、主にストリーミングメディアのオンデマンドや生放送などのサービス機能を完成する。
【００２８】
図３aに示すように、実施形態１において、ストリーミングメディアサービスを実現する方法は、具体的に下記のステップを含む。
【００２９】
ステップ１で、通信端末は、登録サーバに登録要求を送信する。
【００３０】
ステップ２で、登録サーバは、通信端末に対して認証を行い、認証にパスした後、通信端末に登録成功の確認メッセージをフィードバックするとともに、登録成功の確認メッセージにストリーミングメディアサービスの関連情報を付ける。上記ストリーミングメディアサービスの関連情報は、登録サーバに保持されているストリーミングメディア番組リスト情報やストリーミングメディア広告情報などである。
【００３１】
ステップ３で、通信端末は、登録サーバから返された登録成功の確認メッセージを受信した後、ストリーミングメディア番組リスト情報又は広告情報を抽出する。ストリーミングメディア番組リスト情報が抽出された場合、ユーザにストリーミングメディア番組リストを表示し、ユーザにより選択された番組を受信した後、ストリーミングメディアサーバに、ユーザにより選択されたストリーミングメディア番組を再生するよう要求する。一方、ストリーミングメディア広告情報が抽出された場合、通信端末がアイドルであるとき、即ち、通信端末がサービスを使用しなく且ついかなる操作も行っていないとき、ストリーミングメディアサーバに、指定されたストリーミングメディア広告を再生するよう要求する。
【００３２】
ステップ４で、ストリーミングメディアサーバは、通信端末にストリーミングメディア番組又は広告を再生し、即ち、通信端末に、それが要求したストリーミングメディア番組又は広告に対応するストリーミングメディアデータを返す。
【００３３】
図３ｂは、実施形態１の通信シグナリングのやり取りを示す図である。図３ｂに示すように、呼制御ユニットは、通信処理ユニットと通信ネットワークとを介して、登録サーバに登録要求を送信する。登録サーバは、認証にパスした後、通信ネットワークを介して、通信処理ユニットに登録成功の確認メッセージをフィードバックする。通信処理ユニットは、登録成功の確認メッセージを呼制御ユニットに転送して処理させる。呼制御ユニットは、登録成功の確認メッセージからストリーミングメディアサービスの関連情報を解析して、ストリーミングメディア制御ユニットに転送する。ストリーミングメディアサービスの関連情報にストリーミングメディア番組リスト情報が含まれる場合、ストリーミングメディア制御ユニットは、ユーザにストリーミングメディア番組リストを表示し、且つユーザの選択を受信する。ストリーミングメディア制御ユニットは、通信処理ユニットと通信ネットワークを介して、ストリーミングメディアサーバに、ユーザにより選択されたストリーミングメディア番組又はストリーミングメディア広告への接続要求を開始する。ストリーミングメディアサーバは、通信ネットワークを介して、接続要求の結果を通信処理ユニットにフィードバックする。通信処理ユニットは、当該接続要求の結果をストリーミングメディア制御ユニットに転送して処理させる。接続に成功した後、ストリーミングメディア制御ユニットは、オーディオ処理ユニットとビデオ処理ユニットに、データの受信準備を指示する。
【００３４】
図３ｃは、実施形態１のストリーミングメディアの再生を示す図である。図３ｃに示すように、ストリーミングメディアサーバは、通信ネットワークを介して、通信処理ユニットにオーディオメディアストリームとビデオメディアストリームを送信し、通信処理ユニットは、受信したオーディオメディアストリームをオーディオ処理ユニットに転送して復号化させ且つ再生させ、同時に、受信したビデオメディアストリームをビデオ処理ユニットに転送して復号化させ且つ表示させる。
【００３５】
この実施形態によって、通信サービスとストリーミングメディアサービスとが有機的に結合されて、通信サービスプロセスに基づいて、通信端末ユーザのために、便利的にストリーミングメディアのオンデマンドや生放送などのサービス機能を提供するとともに、サービス事業者のために、ストリーミングメディア広告などの付加価値サービスの可能も提供している。
【００３６】
（実施形態2）
本実施形態において、通信端末は、通常の呼方式によりストリーミングメディアのオンデマンドや生放送のサービスを起動し、通信端末のユーザのために、オートシステム（Ａｕｔｏ  Ｓｙｓｔｅｍ）のようなストリーミングメディアサービス機能を提供する。
【００３７】
図４ａは、本発明に係る実施形態２のストリーミングメディアサービスの実現を示す図である。図４ａに示すように、実施形態２において、ストリーミングメディアサービスを実現するシステムは、ストリーミングメディア機能を有する通信端末と、ネットワーク側の登録サーバと、ネットワーク側のストリーミングメディアサーバとを含む。
【００３８】
ネットワーク側の登録サーバには、実施形態１に含まれているストリーミングメディアサービスの関連情報が配置されている以外に、ストリーミングメディアサービスの番号とストリーミングメディアサービスの関連情報との対応関係がさらに含み、ストリーミングメディアサービスの番号を受信した後、当該番号に対応するストリーミングメディアサービスの関連情報を検索し且つフィードバックする。
【００３９】
図４ａに示すように、実施形態２において、ストリーミングメディアサービスを実現する方法は、具体的に下記のステップを含む。
【００４０】
ステップ１で、通信端末は、登録サーバに呼要求を送信し、当該呼出された被呼番号は予め設定されたストリーミングメディアサービスの番号である。
【００４１】
ステップ２で、登録サーバは、通信端末に対して認証を行い、認証にパスした後、呼出された被呼番号を解析し、解析された番号がストリーミングメディアサービスの番号であることを検出した場合、保持されたストリーミングメディアサービスの番号とストリーミングメディアサービスの関連情報との対応関係に基づいて、当該ストリーミングメディアサービスの番号に対応するストリーミングメディアサービスの関連情報を検索し、且つ当該番号に対応するストリーミングメディアサービスの関連情報を呼の確認メッセージに付けて、通信端末にフィードバックする。本実施形態において、ストリーミングメディアサービスの関連情報には、通常に、単一なストリーミングメディア番組のＵＲＬリンクのみが含まれる。
【００４２】
ステップ３で、通信端末は、呼の確認メッセージを受信した後、呼の確認メッセージにストリーミングメディアサービスの関連情報が含まれ、且つ当該ストリーミングメディアサービスの関連情報が単一なストリーミングメディア番組のＵＲＬリンクであることを検出した場合、ストリーミングメディアサーバに、当該ストリーミングメディア番組のＵＲＬリンク向けのストリーミングメディアデータを再生するよう要求する。
【００４３】
ステップ４で、ストリーミングメディアサーバは、通信端末にストリーミングメディア番組を再生し、即ち、通信端末に、それが要求するストリーミングメディア番組に対応するストリーミングメディアデータを返す。
【００４４】
図４ｂは、実施形態２の通信シグナリングのやり取りを示す図である。図４ｂに示すように、呼制御ユニットは、通信処理ユニットと通信ネットワークを介して、登録サーバに呼要求を送信する。登録サーバは、通信端末に対する認証にパスした後、被呼番号を解析し、且つその被呼番号に対応するストリーミングメディアサービスの関連情報が含まれている呼の確認メッセージを、通信処理ユニットにフィードバックする。通信処理ユニットは、呼の確認メッセージを呼制御ユニットに転送する。呼制御ユニットは、ストリーミングメディアサービスの関連情報、例えば単一なストリーミングメディア番組のＵＲＬリンクを取得した後、それをストリーミングメディア制御ユニットに転送する。ストリーミングメディア制御ユニットは、通信処理ユニットを介して、ストリーミングメディアサーバに、当該単一なストリーミングメディア番組への接続要求を開始する。ストリーミングメディアサーバは、通信ネットワークを介して、接続要求の結果を通信処理ユニットにフィードバックする。通信処理ユニットは、当該接続要求の結果をストリーミングメディア制御ユニットに転送して処理させる。接続に成功した後、ストリーミングメディア制御ユニットは、オーディオ処理ユニットとビデオ処理ユニットにデータの受信準備を指示し、そして、ストリーミングメディアの再生を始める。
【００４５】
本実施形態のストリーミングメディアの再生は、図３cに示される実施形態１のストリーミングメディアの再生と同じなので、その説明を省略する。
【００４６】
この実施形態によれば、伝統的なダイヤル（ｄｉａｌ）方式で、ストリーミングメディアのオンデマンドや生放送などのサービスを実現して、普通の通信端末ユーザに、更に容易に受け付けて使用するようにし、また、サービス事業者は、この簡単かつ実行やすい方式で、各種の付加価値サービスを提供することができる。
【００４７】
（実施形態３）
本実施形態において、通信端末は、登録プロセスが完了した後、単独なストリーミングメディアサービスの検索要求を開始する。このようにして、従来の登録プロセスに対して拡張しなくてもよい。
【００４８】
図５ａは、本発明に係る実施形態３のストリーミングメディアサービスの実現を示す図である。図５ａに示すように、実施形態３において、ストリーミングメディアサービスを実現するシステムは、ストリーミングメディア機能を有する通信端末と、ネットワーク側の登録サーバと、ネットワーク側のストリーミングメディアサーバとを含む。
【００４９】
ここで、ネットワーク側の登録サーバとストリーミングメディアサーバの機能は、実施形態１における対応の設備と同じである。
【００５０】
図５ａに示すように、実施形態３において、ストリーミングメディアサービスを実現する方法は、具体的に下記のステップを含む。
【００５１】
ステップ１で、通信端末は、登録サーバに登録要求を送信する。
【００５２】
ステップ２で、登録サーバは、通信端末に対して認証を行い、認証にパスした後、通信端末に登録の確認メッセージをフィードバックし、当該登録の確認メッセージには、ストリーミングメディアサービスの関連情報が含まれていない。
【００５３】
ステップ３で、通信端末は、登録サーバにストリーミングメディアサービスの検索要求を送信する。
【００５４】
ステップ４で、登録サーバは、前記ストリーミングメディアサービスの検索要求を受信した後、ストリーミングメディアサービスの関連情報が含まれているストリーミングメディアサービスの検索応答を、通信端末にフィードバックする。
【００５５】
ステップ５で、通信端末は、ストリーミングメディアサービスの関連情報に基づいて、ストリーミングメディアデータの再生をストリーミングメディアサーバに要求する。本ステップの具体的な実現方式は、実施形態１のステップ３とステップ４と同じなので、その説明を省略する。
【００５６】
図５ｂは、実施形態３の通信シグナリングのやり取りを示す図である。図５ｂに示すように、呼制御ユニットは、通信処理ユニットと通信ネットワークを介して、登録サーバに登録要求を送信する。登録サーバは、認証にパスした後、通信ネットワークを介して通信処理ユニットに登録成功の確認メッセージをフィードバックする。通信処理ユニットは、登録成功の確認メッセージを呼制御ユニットに転送する。呼制御ユニットは、通信処理ユニットと通信ネットワークを介して、登録サーバにストリーミングメディアサービスの検索要求を送信する。登録サーバは、通信ネットワークを介してストリーミングメディアサービスの関連情報が含まれているストリーミングメディアサービスの検索応答を、通信処理ユニットに返す。通信処理ユニットは、ストリーミングメディアサービスの検索応答を呼制御ユニットに転送する。呼制御ユニットは、ストリーミングメディアサービスの検索応答内のストリーミングメディアサービスの関連情報を解析した後、ストリーミングメディア制御ユニットに転送する。ストリーミングメディアサービスの関連情報にストリーミングメディア番組リストが含まれる場合、ストリーミングメディア制御ユニットは、ユーザにストリーミングメディア番組リストを表示し、且つユーザの選択を受信する。ストリーミングメディア制御ユニットは、通信処理ユニットと通信ネットワークを介して、ストリーミングメディアサーバに、ユーザにより選択されたストリーミングメディア番組又はストリーミングメディア広告への接続要求を開始する。ストリーミングメディアサーバは、通信ネットワークを介して接続要求の結果を通信処理ユニットにフィードバックする。通信処理ユニットは、当該接続要求の結果をストリーミングメディア制御ユニットに転送して処理させる。接続に成功した後、ストリーミングメディア制御ユニットは、オーディオ処理ユニットとビデオ処理ユニットにデータの受信準備を指示し、そして、ストリーミングメディアの再生を始める。
【００５７】
本実施形態のストリーミングメディアの再生は、図３cに示された実施形態１のストリーミングメディアの再生と同じなので、その説明を省略する。
【００５８】
本実施形態は、専用のストリーミングメディアの検索要求及び応答シグナリングを追加することによって、従来の登録プロセスの標準シグナリングに対して拡張する必要がない。
【００５９】
（実施形態４）
本実施形態は、実施形態３と異なるところとして、登録サーバがストリーミングメディアサービスの検索機能を搭載することでなく、専門的ストリーミングメディアサービスサーバによりストリーミングメディアサービスの検索機能を搭載し、通信端末は、登録サーバではなくストリーミングメディアサービスサーバに、ストリーミングメディアサービスの検索を要求する。
【００６０】
図６ａは、本発明に係る実施形態４のストリーミングメディアサービスの実現を示す図である。図６ａに示すように、実施形態４において、ストリーミングメディアサービスを実現するシステムは、ストリーミングメディア機能を有する通信端末と、ネットワーク側の登録サーバと、ネットワーク側のストリーミングメディアサーバと、ネットワーク側のストリーミングメディアサービスサーバとを含む。
【００６１】
実施形態３と異なるところとして、ネットワーク側の登録サーバには、ストリーミングメディアサービスの関連情報を保持しなく、ストリーミングメディアサービスサーバに、ストリーミングメディアサービスの関連情報を保持し、ストリーミングメディアサービスサーバにより、通信端末のためにストリーミングメディアサービスの検索機能を提供する。
【００６２】
図６ａに示すように、実施形態４において、ストリーミングメディアサービスを実現する方法は、具体的に下記のステップを含む。
【００６３】
ステップ１で、通信端末は、登録サーバに登録要求を送信する。
【００６４】
ステップ２で、登録サーバは、通信端末に対して認証を行い、認証にパスした後、通信端末に登録の確認メッセージをフィードバックし、登録の確認メッセージにはストリーミングメディアサービスの関連情報が含まれていない。
【００６５】
ステップ３で、通信端末は、ストリーミングメディアサービスサーバに、ストリーミングメディアサービスの検索要求を送信する。
【００６６】
ステップ４で、ストリーミングメディアサービスサーバは、前記ストリーミングメディアサービスの検索要求を受信した後、ストリーミングメディアサービスの関連情報を、通信端末にフィードバックする。
【００６７】
ステップ５で、通信端末は、受信したストリーミングメディアサービスの関連情報に基づいて、ストリーミングメディアデータの再生をストリーミングメディアサーバに要求する。本ステップの具体的な実現方式は、実施形態１のステップ３とステップ４と同じなので、その説明を省略する。
【００６８】
図６ｂは、実施形態４の通信シグナリングのやり取りを示す図である。図６ｂに示すように、呼制御ユニットは、通信処理ユニットと通信ネットワークを介して、登録サーバに登録要求を送信する。登録サーバは、認証にパスした後、通信ネットワークを介して、通信処理ユニットに登録成功の確認メッセージをフィードバックする。通信処理ユニットは、登録成功の確認メッセージを呼制御ユニットに転送して処理させる。ストリーミングメディア制御ユニットは、通信処理ユニットと通信ネットワークを介して、ストリーミングメディアサービスサーバにストリーミングメディアサービスの検索要求を送信する。ストリーミングメディアサービスサーバは、通信ネットワークを介して、ストリーミングメディアサービスの関連情報が含まれているストリーミングメディアサービスの検索応答を、通信処理ユニットに返す。通信処理ユニットは、ストリーミングメディアサービスの検索応答を呼制御ユニットに転送する。呼制御ユニットは、ストリーミングメディアサービスの検索応答メッセージから、ストリーミングメディアサービスの関連情報を解析した後、ストリーミングメディア制御ユニットに転送する。ストリーミングメディアサービスの関連情報にストリーミングメディア番組リスト情報が含まれる場合、ストリーミングメディア制御ユニットは、ユーザにストリーミングメディア番組リストを表示し、且つユーザの選択を受信する。ストリーミングメディア制御ユニットは、通信処理ユニットと通信ネットワークを介して、ユーザにより選択されたストリーミングメディア番組又はストリーミングメディア広告への接続要求を、ストリーミングメディアサーバに開始する。ストリーミングメディアサーバは、通信ネットワークを介して、接続要求の結果を通信処理ユニットにフィードバックする。通信処理ユニットは、当該接続要求の結果をストリーミングメディア制御ユニットに転送して処理させる。接続に成功した後、ストリーミングメディア制御ユニットは、オーディオ処理ユニットとビデオ処理ユニットにデータの受信準備を指示し、そして、ストリーミングメディアの再生を始める。
【００６９】
本実施形態のストリーミングメディアの再生は、図３cに示された実施形態１のストリーミングメディアの再生と同じなので、その説明を省略する。
【００７０】
具体的な実施のプロセスにおいて、具体的な状況の需要に応じるように、本発明の好ましい実施形態に対して適当に改善することができる。これで、上記本発明の実施の形態は、模範を示すだけで、本発明の精神と請求の範囲を限定して解釈されるものではない。
【図面の簡単な説明】
【００７１】
【図１】従来技術に係るビデオ・オーディオ通信を実現する通信端末の構成を示す図である。
【図２】本発明に係るストリーミングメディア機能を有する通信端末の構成を示す図である。
【図３ａ】本発明に係る実施形態１のストリーミングメディアサービスの実現を示す図である。
【図３ｂ】図３aに示す実施形態１の通信シグナリングのやり取りを示す図である。
【図３ｃ】図３ａに示す実施形態１のストリーミングメディアデータの伝送を示す図である。
【図４ａ】本発明に係る実施形態２のストリーミングメディアサービスの実現を示す図である。
【図４ｂ】図４ａに示す実施形態２の通信シグナリングのやり取りを示す図である。
【図５ａ】本発明に係る実施形態３のストリーミングメディアサービスの実現を示す図である。
【図５ｂ】図５ａに示す実施形態３の通信シグナリングのやり取りを示す図である。
【図６ａ】本発明に係る実施形態４のストリーミングメディアサービスの実現を示す図である。
【図６ｂ】図６ａに示す実施形態４の通信シグナリングのやり取りを示す図である。
【図１】
2008526145.tif 000003
【図２】
2008526145.tif 000004
【図３ａ】
2008526145.tif 000005
【図３ｂ】
2008526145.tif 000006
【図３ｃ】
2008526145.tif 000007
【図４ａ】
2008526145.tif 000008
【図４ｂ】
2008526145.tif 000009
【図５ａ】
2008526145.tif 000010
【図５ｂ】
2008526145.tif 000011
【図６ａ】
2008526145.tif 000012
【図６ｂ】
2008526145.tif 000013
【手続補正書】
【提出日】平成19年6月29日(2007.6.29)
【手続補正１】
【補正対象書類名】特許請求の範囲
【補正対象項目名】全文
【補正方法】変更
【補正の内容】
【特許請求の範囲】
【請求項１】
呼制御手段と、オーディオ処理手段と、ビデオ処理手段と、通信処理手段とを含む、ストリーミングメディアサービスを実現する通信端末であって、
当該通信端末は、ストリーミングメディアの再生や制御に関連するプロトコルを処理し、ストリーミングメディアサービスに関連するプロセスを制御するストリーミングメディア制御手段を更に含み、
前記呼制御手段は、前記通信処理手段を介してネットワーク側にストリーミングメディアサービスの関連情報の要求を開始し、ネットワーク側から前記通信処理手段を介して返されたストリーミングメディアサービスの関連情報を前記ストリーミングメディア制御手段に転送し、又は、前記ストリーミングメディア制御手段は、前記通信処理手段を介してネットワーク側にストリーミングメディアサービスの関連情報の要求を開始し、ネットワーク側から前記通信処理手段を介して返されたストリーミングメディアサービスの関連情報を受信し、
前記ストリーミングメディア制御手段は、ストリーミングメディアサービスの関連情報に基づいて、ネットワーク側にストリーミングメディアデータの再生を要求し、要求に成功した後、前記オーディオ処理手段と前記ビデオ処理手段に、ネットワーク側からのストリーミングメディアデータを再生するよう指示する、
ことを特徴とする通信端末。
【請求項２】
前記呼制御手段と、前記オーディオ処理手段と、前記ビデオ処理手段と、前記通信処理手段とが、互いに接続されて、ビデオ・オーディオ通信を実現する、
ことを特徴とする請求項１に記載の通信端末。
【請求項３】
前記ストリーミングメディア制御手段が前記呼制御手段と、前記オーディオ処理手段と、前記ビデオ処理手段と、前記通信処理手段とやり取りする通信シグナリングは、拡張された、ストリーミングメディアサービスの関連情報の伝達をサポートする通信シグナリングである、
ことを特徴とする請求項１に記載の通信端末。
【請求項４】
ストリーミングメディアサービスを実現するシステムであって、
ストリーミングメディアサービスの関連情報の要求を開始し、要求されたストリーミングメディアサービスの関連情報を受信し、その後、ストリーミングメディアデータの再生を要求する通信端末と、
前記通信端末に対する登録と、認証と、被呼番号の解析機能を実現し、ストリーミングメディアサービスの関連情報の要求を受信した場合、通信端末にストリーミングメディアサービスの関連情報を提供する登録サーバと、
ストリーミングメディアデータの再生要求を受信した場合、通信端末にストリーミングメディアデータを提供するストリーミングメディアサーバと、
を含むことを特徴とするシステム。
【請求項５】
前記ストリーミングメディアサービスの関連情報の要求は、登録要求、呼要求又はストリーミングメディアサービスの検索要求を含む、
ことを特徴とする請求項４に記載のシステム。
【請求項６】
ストリーミングメディアサービスを実現するシステムであって、
ストリーミングメディアサービスの関連情報の要求を開始し、要求されたストリーミングメディアサービスの関連情報を受信し、その後、ストリーミングメディアデータの再生を要求する通信端末と、
ストリーミングメディアサービスの関連情報の要求を受信した場合、通信端末にストリーミングメディアサービスの関連情報を提供するストリーミングメディアサービスサーバと、
ストリーミングメディアデータの再生要求を受信した場合、通信端末にストリーミングメディアデータを提供するストリーミングメディアサーバと、
を含むことを特徴とするシステム。
【請求項７】
通信端末に対する登録、認証、被呼番号の解析機能を実現する登録サーバを更に含む、
ことを特徴とする請求項６に記載のシステム。
【請求項８】
前記通信端末が登録サーバに開始した要求は、ストリーミングメディアサービスの検索要求である、
ことを特徴とする請求項６に記載のシステム。
【請求項９】
通信端末を用いてストリーミングメディアサービスを実現する方法であって、
ネットワーク側にストリーミングメディアサービスの関連情報の要求を開始するステップと、
ネットワーク側から、前記通信端末に対しての認証にパスした場合に返された、ストリーミングメディアサービスの関連情報が含まれている確認メッセージを受信するステップと、
ストリーミングメディアサービスの関連情報に基づいて、ストリーミングメディアデータの再生をネットワーク側に要求するステップと、を含む、
ことを特徴とするストリーミングメディアサービスを実現する方法。
【請求項１０】
前記ストリーミングメディアサービスの関連情報の要求は、登録要求であり、
前記ストリーミングメディアサービスの関連情報が含まれている確認メッセージは、ストリーミングメディアサービスの関連情報が含まれている登録確認メッセージである、
ことを特徴とする請求項９に記載の方法。
【請求項１１】
前記ストリーミングメディアサービスの関連情報の要求は、被呼番号がストリーミングメディアサービスの番号である呼要求であり、
ネットワーク側が、前記通信端末に対して認証を行った後、ストリーミングメディアサービスの番号を解析し、ストリーミングメディアサービスの番号とストリーミングメディアサービスの関連情報との対応関係に基づいて、当該ストリーミングメディアサービスの番号に対応するストリーミングメディアサービスの関連情報を取得するステップを更に含み、
前記ストリーミングメディアサービスの関連情報が含まれている確認メッセージは、ストリーミングメディアサービスの関連情報が含まれている呼確認メッセージである、
ことを特徴とする請求項９に記載の方法。
【請求項１２】
前記ストリーミングメディアサービスの関連情報には、ストリーミングメディア番組リスト情報及び/又はストリーミングメディア広告情報が含まれている、
ことを特徴とする請求項１０又は１１に記載の方法。
【請求項１３】
前記ストリーミングメディア番組リスト情報には、少なくとも１つのストリーミングメディア番組の名称及びその統一資源位置指定子ＵＲＬリンクが含まれており、
前記ストリーミングメディア広告情報には、ストリーミングメディア広告のＵＲＬリンクが含まれている、
ことを特徴とする請求項１２に記載の方法。
【請求項１４】
前記ストリーミングメディアサービスの関連情報がストリーミングメディア番組リスト情報であれば、ストリーミングメディア番組リストを表示し、ネットワーク側に、ユーザにより選択されたストリーミングメディア番組に対応するストリーミングメディアデータを要求し、ネットワーク側から返されたストリーミングメディアデータを受信した後、当該ストリーミングメディアデータを再生するステップを更に含む、
ことを特徴とする請求項１２に記載の方法。
【請求項１５】
前記ストリーミングメディアサービスの関連情報がストリーミングメディア広告情報であれば、アイドルであるとき、ネットワーク側にストリーミングメディア広告情報に対応するストリーミングメディアデータを要求し、ネットワーク側から返されたストリーミングメディアデータを受信した後、当該ストリーミングメディアデータを再生するステップを更に含む、
ことを特徴とする請求項１２に記載の方法。
【請求項１６】
ネットワーク側の登録サーバが、通信端末に対して認証して確認メッセージを返し、
前記通信端末は、ストリーミングメディアデータの再生を、ネットワーク側のストリーミングメディアサーバに要求する、
ことを特徴とする請求項９に記載の方法。
【請求項１７】
通信端末を用いてストリーミングメディアサービスを実現する方法であって、
通信端末が登録した後、ネットワーク側にストリーミングメディアサービスの検索要求を開始するステップと、
ネットワーク側から返されたストリーミングメディアサービスの関連情報が含まれているストリーミングメディアサービスの検索応答を受信するステップと、
ストリーミングメディアサービスの関連情報に基づいて、ストリーミングメディアデータの再生をネットワーク側に要求するステップと、を含む、
ことを特徴とするストリーミングメディアサービスを実現する方法。
【請求項１８】
前記ストリーミングメディアサービスの関連情報には、ストリーミングメディア番組リスト情報及び/又はストリーミングメディア広告情報が含まれている、
ことを特徴とする請求項１７に記載の方法。
【請求項１９】
ストリーミングメディア番組リスト情報には、少なくとも１つのストリーミングメディア番組の名称及びそのＵＲＬリンクが含まれており、
前記ストリーミングメディア広告情報には、ストリーミングメディア広告のＵＲＬリンクが含まれている、
ことを特徴とする請求項１８に記載の方法。
【請求項２０】
前記ストリーミングメディアサービスの関連情報がストリーミングメディア番組リスト情報であれば、ストリーミングメディア番組リストを表示し、ネットワーク側に、ユーザにより選択されたストリーミングメディア番組に対応するストリーミングメディアデータを要求し、ネットワーク側から返されたストリーミングメディアデータを受信した後、当該ストリーミングメディアデータを再生するステップを更に含む、
ことを特徴とする請求項１８に記載の方法。
【請求項２１】
前記ストリーミングメディアサービスの関連情報がストリーミングメディア広告情報であれば、アイドルであるとき、ネットワーク側にストリーミングメディア広告情報に対応するストリーミングメディアデータを要求し、ネットワーク側から返されたストリーミングメディアデータを受信した後、当該ストリーミングメディアデータを再生するステップを更に含む、
ことを特徴とする請求項１８に記載の方法。
【請求項２２】
前記通信端末は、ネットワーク側のストリーミングメディアサービスサーバに、ストリーミングメディアサービスの検索要求を開始し、ストリーミングメディアサービスサーバから返されたストリーミングメディアサービスの検索応答を受信し、
前記通信端末は、ストリーミングメディアデータの再生を、ネットワーク側のストリーミングメディアサーバに要求する、
ことを特徴とする請求項１７に記載の方法。
【手続補正２】
【補正対象書類名】明細書
【補正対象項目名】０００５
【補正方法】変更
【補正の内容】
【０００５】
本発明実施形態は、ストリーミングメディアサービスを実現する通信端末を提供する。
【手続補正３】
【補正対象書類名】明細書
【補正対象項目名】０００６
【補正方法】変更
【補正の内容】
【０００６】
本発明実施形態は、ストリーミングメディア機能を有する通信端末を採用してストリーミングメディアサービスを実現する、ストリーミングメディアサービスを実現するシステムと方法を提供する。
【手続補正４】
【補正対象書類名】明細書
【補正対象項目名】０００７
【補正方法】変更
【補正の内容】
【０００７】
本発明実施形態は下記の解決手段によって実現されたものである。
ストリーミングメディアサービスを実現する通信端末であって、
呼制御手段と、オーディオ処理手段と、ビデオ処理手段と、通信処理手段とを含み、
キーポイントは、当該通信端末は、ストリーミングメディアの再生や制御に関連するプロトコルを処理し、ストリーミングメディアサービスに関連するプロセスを制御するストリーミングメディア制御手段を更に含み、
前記呼制御手段は、前記通信処理手段を介してネットワーク側にストリーミングメディアサービスの関連情報の要求を開始し、ネットワーク側から前記通信処理手段を介して返されたストリーミングメディアサービスの関連情報を前記ストリーミングメディア制御手段に転送し、又は、前記ストリーミングメディア制御手段は、前記通信処理手段を介してネットワーク側にストリーミングメディアサービスの関連情報の要求を開始し、ネットワーク側から前記通信処理手段を介して返されたストリーミングメディアサービスの関連情報を受信し、
前記ストリーミングメディア制御手段は、ストリーミングメディアサービスの関連情報に基づいて、ネットワーク側にストリーミングメディアデータの再生を要求し、要求に成功した後、前記オーディオ処理手段と前記ビデオ処理手段に、ネットワーク側からのストリーミングメディアデータを再生するよう指示する。
【手続補正５】
【補正対象書類名】明細書
【補正対象項目名】０００８
【補正方法】変更
【補正の内容】
【０００８】
ストリーミングメディアサービスを実現するシステムであって、
ストリーミングメディアサービスの関連情報の要求を開始し、要求されたストリーミングメディアサービスの関連情報を受信し、その後、ストリーミングメディアデータの再生を要求する通信端末と、
前記通信端末に対する登録と、認証と、被呼番号の解析機能を実現し、ストリーミングメディアサービスの関連情報の要求を受信した場合、通信端末にストリーミングメディアサービスの関連情報を提供する登録サーバと、
ストリーミングメディアデータの再生要求を受信した場合、通信端末にストリーミングメディアデータを提供するストリーミングメディアサーバとを含む。
【手続補正６】
【補正対象書類名】明細書
【補正対象項目名】０００９
【補正方法】変更
【補正の内容】
【０００９】
ストリーミングメディアサービスを実現するシステムであって、
ストリーミングメディアサービスの関連情報の要求を開始し、要求されたストリーミングメディアサービスの関連情報を受信し、その後、ストリーミングメディアデータの再生を要求する通信端末と、
ストリーミングメディアサービスの関連情報の要求を受信した場合、通信端末にストリーミングメディアサービスの関連情報を提供するストリーミングメディアサービスサーバと、
ストリーミングメディアデータの再生要求を受信した場合、通信端末にストリーミングメディアデータを提供するストリーミングメディアサーバとを含む。
【手続補正７】
【補正対象書類名】明細書
【補正対象項目名】００１０
【補正方法】変更
【補正の内容】
【００１０】
ストリーミングメディアサービスを実現する方法であって、
ネットワーク側にストリーミングメディアサービスの関連情報の要求を開始するステップと、
ネットワーク側から、前記通信端末に対しての認証にパスした場合に返された、ストリーミングメディアサービスの関連情報が含まれている確認メッセージを受信するステップと、
ストリーミングメディアサービスの関連情報に基づいて、ストリーミングメディアデータの再生をネットワーク側に要求するステップとを含む。
【手続補正８】
【補正対象書類名】明細書
【補正対象項目名】００１１
【補正方法】変更
【補正の内容】
【００１１】
ストリーミングメディアサービスを実現する方法であって、
通信端末が登録した後、ネットワーク側にストリーミングメディアサービスの検索要求を開始するステップと、
ネットワーク側から返されたストリーミングメディアサービスの関連情報が含まれているストリーミングメディアサービスの検索応答を受信するステップと、
ストリーミングメディアサービスの関連情報に基づいて、ストリーミングメディアデータの再生をネットワーク側に要求するステップとを含む。
【手続補正９】
【補正対象書類名】明細書
【補正対象項目名】００１４
【補正方法】変更
【補正の内容】
【００１４】
本発明の解決手段とメリットを更に明確するため、以下図面と具体的な実施形態を参照して本発明について更に詳述する。
【手続補正１０】
【補正対象書類名】明細書
【補正対象項目名】００１５
【補正方法】変更
【補正の内容】
【００１５】
本発明の実施形態によると、通信端末に、ストリーミングメディアの再生や制御に関連するプロトコルを処理するストリーミングメディア制御ユニットを追加し、且つ通信端末に使用される通信シグナリングを拡張して、ストリーミングメディアサービスを支持するようにすることによって、通信端末でストリーミングメディアサービスを実現する。
【手続補正１１】
【補正対象書類名】明細書
【補正対象項目名】００３８
【補正方法】変更
【補正の内容】
【００３８】
ネットワーク側の登録サーバは、実施形態１に含まれているストリーミングメディアサービスの関連情報を保持する以外に、ストリーミングメディアサービスの番号とストリーミングメディアサービスの関連情報との対応関係もさらに保持し、ストリーミングメディアサービスの番号を受信した後、当該番号に対応するストリーミングメディアサービスの関連情報を検索し且つフィードバックする。
【手続補正１２】
【補正対象書類名】図面
【補正対象項目名】図２
【補正方法】変更
【補正の内容】
【図２】
2008526145.tif 000014
【国際調査報告】
2008526145.tif 000015
2008526145.tif 000016
2008526145.tif 000017
2008526145.tif 000018
2008526145.tif 000019
2008526145.tif 000020
2008526145.tif 000021
2008526145.tif 000022